(57)【要約】【課題】本考案は、軽くて組み立て可能で、且つ展示物間に空間を生じさせない展示箱を提供することである。【解決手段】紙板を折曲してなる展示箱Ａであって、台形状の両側面部１Ａ，１Ｂと、矩形状の背面部２と、該背面部より小さい矩形状の前面部３と、矩形状の底面部４とを備え、更に、該底面部４に矩形状の傾斜した上げ底部５を有する展示箱。  また、上げ底部５は、底面部４とは独立した紙板の折曲げにより形成されている。【選択図】図１
0003136097.tif 000002
【実用新案登録請求の範囲】
【請求項１】
紙板を折曲してなる展示箱であって、台形状の両側面部と、矩形状の背面部と、該背面部より小さい矩形状の前面部と、矩形状の底面部とを備え、更に、該底面部に矩形状の傾斜した上げ底部を有することを特徴とする展示箱。
【請求項２】
前記上げ底部は、底面部とは独立した紙板の折曲げにより形成されていることを特徴とする請求項１記載の展示箱。
【請求項３】
前記上げ底部は、天面と前方の前支持面と後方の後支持面とを有し、後支持面が前支持面より高さが高いことを特徴とする請求項２記載の展示箱。
【請求項４】
前記上げ底部は、天面と後方の後支持面とを有することを特徴とする請求項１記載の展示箱。
【請求項５】
前記底面部は、両側面部、背面部、及び前面部から延びた各下延長部が内側に折曲することにより形成されていることを特徴とする請求項１記載の展示箱。
【請求項６】
前記両側面部、背面部及び前面部から延びた各上延長部が内側に折り込まれて２重壁部を形成していることを特徴とする請求項１記載の展示箱。
【請求項７】
前記前面部における内側に折り込まれた延長部を上げ底部の前支持面で押圧していることを特徴とする請求項１記載の展示箱。
【請求項８】
前記紙板は両側面部、背面部、前面部、底面部、更に、該側面部より延びる側面下延長部及び側面上延長部と、該背面部より延びる背面下延長部及び背面上延長部と、該前面部より延びる前面下延長部及び前面上延長部とよりなることを特徴とする請求項１記載の展示箱。
【請求項９】
前記紙板が組み立てられた状態では、背面上延長部と側面上延長部とが掛止されるものであることを特徴とする請求項８記載の展示箱。
【請求項１０】
前記背面部と側面部とが糊代により接着されていることを特徴とする請求項８記載の展示箱。
【請求項１１】
複数対の箸が一緒に包装された箸束を展示するものであることを特徴とする請求項１記載の展示箱。
【請求項１２】
紙板を折曲してなる展示箱であって、台形状の両側面部と、矩形状の背面部と、該背面部より小さい矩形状の前面部と、矩形状の底面部と、収納部を区画するための仕切板とを備え、各区画には、傾斜した上げ底部がそれぞれ装着され、前段には、高さの低い上げ底部が、後段には、前段より高さの高い上げ底部が装着されていることを特徴とする展示箱。
【請求項１３】
紙板を折曲してなる展示箱であって、台形状の両側面部と、矩形状の背面部と、該背面部より小さい矩形状の前面部と、矩形状の底面部と、収納部を区画するための仕切板とを備え、各区画には、傾斜した上げ底部がそれぞれ装着され、前段には、高さの低い上げ底部が、後段には、置き台を介して、前段と同じ上げ底部が装着されていることを特徴とする展示箱。
【考案の詳細な説明】
【技術分野】
【０００１】
本考案は、店等において小物品を展示する展示箱に関する。
【背景技術】
【０００２】
小物品を展示する場合、包装された状態で小物品は展示される。
その際、小物品は展示箱に収容されて展示されることが多い。
例えば、箸の場合であると、複数対が一体に包装されて箸束で展示される〔図１０（Ａ）参照〕。
【０００３】
展示された後、箸束が販売されて徐々に取り出されていくと、取り出された後の空間ができる。
すなわち、最前方の箸束が取り出されるとその部分に空間が空き、箸束は起立した状態を維持できずに前に倒れる〔図１０（Ｂ）参照〕。
そのため箸束の正面が見えない。
【０００４】
また、中央の箸束が取り出されると、その部分に空間ができ、やはり後方の箸束が前方に又は前方の箸束が後方に倒れる現象が生じる〔図１０（Ｃ）参照〕。
【０００５】
そのため、このような現象が生じないように、販売されて無くなった分を常に補充追加し、展示された箸束の間に空間が空かないようにしておくことが必要になる。
しかし、販売員にとって、箸束が販売される毎に新しい箸束を補充追加し、展示品間に空間を生じないように管理することは大変手間がかかり負担となる。そのため、展示品間に空間が空いても、そのままの状態で放置されている場合も多い。
【０００６】
一方、箸等の小物品売り場は店内の雰囲気が極めて重要であるので、店内のレイアウトを変えるために展示品の配置換えが行われる。
しかし、その都度、展示箱を移動しなければならない。
そのため、軽くて移動し易い展示箱の方が、都合が良い。
また、箸等の小物品の展示箱は、比較的小さく数も多いため、組み立てて使えるような展示箱が便利である。
【特許文献１】特開２００６−５５１号公報
【考案の開示】
【考案が解決しようとする課題】
【０００７】
本考案は、上記の問題点を背景に考案されたものである。
すなわち本考案の目的は、軽くて組み立て可能で、且つ展示物間に空間を生じさせない展示箱を提供するものである。
【課題を解決するための手段】
【０００８】
本考案者は、以上のような課題背景をもとに鋭意研究を重ねた結果、紙板を折曲してなる展示箱の底面部に、矩形状の傾斜した上げ底部を有するようにしたことで上記の課題を解決できることを見出し、その知見に基づいて本考案を完成させたものである。
【０００９】
すなわち本考案は、紙板を折曲してなる展示箱であって、台形状の両側面部と、矩形状の背面部と、該背面部より小さい矩形状の前面部と、矩形状の底面部とを備え、更に、該底面部に矩形状の傾斜した上げ底部を有する展示箱に存する。
【００１０】
また本考案は、前記上げ底部は、底面部とは独立した紙板の折曲げにより形成されている展示箱に存する。
【００１１】
また本考案は、前記上げ底部は天面と前方の前支持面と後方の後支持面とを有し、後支持面が前支持面より高さが高い展示箱に存する。
【００１２】
また考案は、前記上げ底部が天面と後方の後支持面とを有する展示箱に存する。
【００１３】
また本考案は、前記底面部が、両側面部、背面部、及び前面部から延びた各下延長部が内側に折曲することにより形成されている展示箱に存する。
【００１４】
また本考案は、前記両側面部、背面部及び前面部から延びた各上延長部が内側に折り込まれて２重壁部を形成している展示箱に存する。
【００１５】
また本考案は、前記前面部における内側に折り込まれた延長部を上げ底部の前支持面で押圧している展示箱に存する。
【００１６】
また本考案は、前記紙板が両側面部、背面部、前面部、底面部、更に、該側面部より延びる側面下延長部及び側面上延長部と、該背面部より延びる背面下延長部及び背面上延長部と、該前面部より延びる前面下延長部及び前面上延長部とよりなる展示箱に存する
【００１７】
また本考案は、前記紙板が組み立てられた状態では、背面上延長部と側面上延長部とが掛止されるものである展示箱に存する。
【００１８】
また本考案は、前記背面部と側面部とが糊代により接着されている展示箱に存する。
【００１９】
また本考案は、複数対の箸が一緒に包装された箸束を展示するものである展示箱に存する。
【００２０】
また本考案は、紙板を折曲してなる展示箱であって、台形状の両側面部と、矩形状の背面部と、該背面部より小さい矩形状の前面部と、矩形状の底面部と、収納部を区画するための仕切板とを備え、各区画には、傾斜した上げ底部がそれぞれ装着され、前段には、高さの低い上げ底部が、後段には、前段より高さの高い上げ底部が装着されている展示箱に存する。
【００２１】
また本考案は、紙板を折曲してなる展示箱であって、台形状の両側面部と、矩形状の背面部と、該背面部より小さい矩形状の前面部と、矩形状の底面部と、収納部を区画するための仕切板とを備え、各区画には、傾斜した上げ底部５がそれぞれ装着され、前段には、高さの低い上げ底部が、後段には、置き台を介して、前段と同じ上げ底部が装着されている展示箱に存する。
【００２２】
なお、本考案の目的に添ったものであれば上記の考案を適宜組み合わせた構成も採用可能である。
【考案の効果】
【００２３】
本考案の展示箱は、紙板を折曲してなる展示箱であって、台形状の両側面部と、矩形状の背面部と、該背面部より小さい矩形状の前面部と、矩形状の底面部とを備え、更に、該底面部に矩形状の傾斜した上げ底部を有するものなので、展示品が重力により前方に移動して、倒れるようなことがない。
【００２４】
前記上げ底部は、底面部とは独立した紙板が折曲されて形成されているので、上げ底部を取り外すことにより平底とすることができる。
【００２５】
前記上げ底部は、天面と前方の前支持面と後方の後支持面とを有し、後支持面が前支持面より高さが高いことにより、紙板を折り曲げることにより簡単に上げ底部が形成され、また折り曲げることにより簡単に傾斜度を設定できる。
【００２６】
前記底面部は、両側面部、背面部、及び前面部の下延長部が内側に折曲されることにより形成されているので、底部を開放することで容易に展示箱を潰して平面に折り畳むことができる。
【００２７】
前記両側面部は、背面部及び前面部の各上延長部が内側に折り込まれて２重壁部を形成していることにより、展示箱が補強される。
紙板が組み立てられた状態では、背面上延長部と側面上延長部とが掛合されるものであるので、背面部及び側面部に沿って位置決めされ２重壁部が安定維持される。
【００２８】
前記前面部における内側に折り込まれた前面上延長部を上げ底部の前支持面が押圧しているため、前面上延長部及び上げ底部が安定保持される。
【００２９】
前記紙板は、両側面部、背面部、前面部、底面部、更に、該側面部より延長する側面下延長部及び側面上延長部と、該背面部より延長する背面下延長部及び背面上延長部と、該前面部より延長する前面下延長部及び前面上延長部とよりなることにより、組み立て立体化が極めて容易である。
【考案を実施するための最良の形態】
【００３０】
〔第一の実施形態〕
本考案の一実施形態を、図面を用いて説明する。
図１は、本実施形態の展示箱を示す斜視図である。
また図２は、上面図、図３は裏面図である。
また図４は、展示箱に多数の箸束を展示した状態を示す斜視図である。
本実施の形態では、複数対（５対）の箸Ｂ１が台板Ｂ２と一緒に包装された箸束（図５参照）が展示される例で示す。
【００３１】
図に示すように、本実施形態の展示箱Ａは、紙板を折曲して組み立てることにより作られる。
展示箱Ａは、台形状の左右の両側面部１Ａ、１Ｂと、矩形状の背面部２と、該背面部より小さい矩形状の前面部３と、矩形状の底面部４とを備えている。
この底面部４には、上げ底部５が配設（装着）される。
【００３２】
上げ底部５は、該天面５１より下方に折曲した前方の前支持面５２、該天面５１より折曲した後方の後支持面５３を備え、後支持面５３は前支持面５２よりも高さが高い〔図１（Ａ）参照〕。
そのため、上げ底部５を底面部４に備えた状態では、前方が低く、後方が高くなり、後述するように展示された箸束を前方に移動させる機能を発揮する。
この上げ底部５は、前方の前支持面５２が形成されてなく、後方の後支持面５３のみを備えるものも天面５１の傾斜が可能であるため採用できる〔図１（Ｂ）参照〕。
上げ底部５の材料としては、紙板の他に木板、プラスチック板、金属板等を使う事も可能である。
【００３３】
そして、両側面部１Ａ、１Ｂと、背面部２、前面部３、底面部４とで囲まれる空間部は、箸束Ｂの収納部となる。
収納部は斜めに開口されており、入り口が広いので、例えば箸束Ｂを入れる場合、収納し易い。
箸束Ｂは前後に並べて配置される。
【００３４】
底面部４に上げ底部５を配設すると、箸束Ｂは上げ底部５の上に載置されるため、前段から後段になるに従って上方に上がって高く展示される。
【００３５】
従って、客の視線は模様の付与されている箸頭を確認できる位置となる。
前記両側面部１Ａ、１Ｂの側面上延長部１ＡＡ、１ＢＡ、背面部２の背面上延長部２Ａ及び前面部３の前面上延長部３Ａが内側に折り込まれている。
これらが内側に折り込まれることにより、２重壁部Ｎが形成され、展示箱Ａの周囲が補強される。
【００３６】
また、折り曲げられた前面上延長部３Ａを上げ底部５の前支持面５２で押圧するので、２重壁部Ｎや上げ底部５の固定状態がより安定する。
【００３７】
本考案の展示箱は紙板よりなる、いわゆる紙製なので変形し易いが、このように補強された２重壁部Ｎを設けることによりその欠点が補完される。
【００３８】
前記底面部４は、両側面部１Ａ、１Ｂの側面下延長部１ＡＢ、１ＢＢ、背面部２の背面下延長部２Ｂ、及び前面部３の前面下延長部３Ｂが内側に折曲することにより形成されている。
【００３９】
展示箱Ａを組み立てる際、これらの各下延長部が互いに掛合して底面部４が作られる。
そのため掛合を外すことで、展示箱Ａ全体を平面状に折り畳むことができる。
【００４０】
図６は、木、紙板からなるブランクを組み立てることで立体化されて収納空間を有する形となる。
【００４１】
紙板であるブランクは、両側面部１Ａ、１Ｂ、背面部２、前面部３、底面部４、更に、該側面部１Ａ、１Ｂより延長する側面下延長部１ＡＢ、１ＢＢ及び側面上延長部１ＡＡ、１ＢＡと、該背面部２より延長する背面下延長部２Ｂ及び背面上延長部２Ａと、該前面部３より延長する前面下延長部３Ｂ及び前面上延長部３Ａとよりなる。
【００４２】
そして、前記背面部２にある糊代の部分で側面部１Ａ、１Ｂと接着する。
このブランクを、図示した折り曲げ線のところで折曲する。
その際、側面下延長部１ＡＢ、１ＢＢと背面下延長部２Ｂと前面下延長部３Ｂとで底面部４を形成する。
【００４３】
また前記両側面部１Ａ、１Ｂの側面上延長部１ＡＡ、１ＢＡ、背面部２の背面上延長部２Ａ、及び前面部３の前面上延長部３Ａを内側に折り込む。
これで２重壁部Ｎが形成され、展示箱Ａの周囲が補強される。
【００４４】
前記紙板が組み立てられた状態では、背面上延長部２Ａと側面上延長部１ＡＡ、１ＢＡとが掛止されている。
そのため背面上延長部２Ａと側面上延長部１ＡＡ、１ＢＡとは、それぞれ背面部２や側面部１Ａ、１Ｂに沿って確実に位置決めされ、２重壁部Ｎが維持される。
【００４５】
このように、本考案の展示箱Ａは組み立てて立体化することが極めて容易である。同時に、折り畳んで平面化することも容易である。
【００４６】
本考案の展示箱Ａを使って箸束を収納展示した場合の機能を次に述べる。
箸束を展示箱に入れて展示すると、図７（Ａ）のように前後に多数並んで配列した状態になる。
【００４７】
このような状態において、前方の箸束が１つ売れて取り出されるとその分、空間が生じる。〔図７（Ｂ）参照〕
しかし、箸束は傾斜した上げ底部５に載置されているので、重量による分力が働き、前方且つ下方にスライドして、その生じた空間を埋める。
【００４８】
また中間位置の箸束が売れるとその分空間が生じるが、後方の箸束が前方に移動し同様にその空間を埋め〔図７（Ｃ）参照〕。
【００４９】
このような操作が繰り返されるため、前方や中間位置に空間が生じることはなく、常に前方に詰まった状態で箸束が存在することになる。
そのため、店員は、従来のように、わざわざ箸束を前方に置き直す必要がない。
箸束が前のめりになることはなく、客は常に、真っ直ぐに起立した箸束を見ることができるのである。
また美観上も好ましい。
【００５０】
〔第二の実施形態〕
図８は、本考案の第２の実施形態を説明する斜視図である。
この実施の態様は、展示箱Ａの中に仕切板６が装着されて、展示箱内の収納空間が４つの区画に仕切られているものである。この各区画には、傾斜した上げ底部５がそれぞれ装着される。
この場合、図に示すように、前段には、高さの低い上げ底部５Ａが、後段には、前段より高さの高い上げ底部５Ｂが装着される。
そのため、箸束を展示した場合、後段の最前列は大きく露出して見える。また仕切板６により区画されているので、異なる種類の箸束を区別して展示することができる。
なお、この上げ底部５の高さは、前支持面５２、後支持面５３の高さを大きくすれば高くなる。
【００５１】
〔第三の実施形態〕
図９は、本考案の第３の実施形態を説明する斜視図である。
この実施の態様も、前述した実施の態様と同じように、展示箱Ａの中に仕切板６が装着されて、４つの区画に仕切られているものである。
そして各区画には、傾斜した上げ底部がそれぞれ装着されるが、置き台５１０を介して装置されている点で異なるものである。
この場合、図に示すように、前段には、高さの低い上げ底部５が装着される。
そして後段には、まず置き台５１０を装着し、該置き台５１０の上に、前段と同じ上げ底部５が装着される。
そのため箸束を展示した場合、後段の最前列は大きく露出して見える。
収納部が仕切板６により区画されているので、異なる種類の箸束を区別して展示することができる。
【００５２】
以上、本考案を説明してきたが、本考案は実施の形態に限定されることなく種々の変形例が可能である。
本考案の実施の形態では、図６のブランクで示したが、このブランクの形に限定されることなく、台形状の両側面部と、矩形状の背面部と、該背面部より小さい矩形状の前面部と、矩形状の底面部とを備え、更に、該底面部に矩形状の傾斜した上げ底部を有する展示箱が形成されるようなブランクであれば、採用可能である。
また、側面部、背面部、前面部の大きさの配分度合い、開口部の傾斜度、上げ底部の傾斜角度等は適宜選択可能である。
【図面の簡単な説明】
【００５３】
【図１】図１は、本考案の展示箱を示す斜視図である。
【図２】図２は、本考案の展示箱を示す上面図である。
【図３】図３は、本考案の展示箱を示す裏面図である。
【図４】図４は、展示箱に多数の箸束を展示した状態を示す斜視図である。
【図５】図５は、箸束を示す図である。
【図６】図６は、本考案の展示箱のブランクを示す図である。
【図７】図７は、本考案の展示箱の展示状態を説明する図である。
【図８】図８は、本考案の第２の実施形態を説明する斜視図である。
【図９】図９は、本考案の第３の実施形態を説明する斜視図である。
【図１０】図１０は、従来の展示箱の展示状態を説明する図である。
【符号の説明】
【００５４】
１Ａ・・・側面部
１ＡＡ・・・側面上延長部
１ＡＢ・・・側面下延長部
１Ｂ・・・側面部
１ＢＡ・・・側面上延長部
１ＢＢ・・・側面下延長部
２・・・背面部
２Ａ・・・背面上延長部
２Ｂ・・・背面下延長部
３・・・前面部
３Ａ・・・前面上延長部
３Ｂ・・・前面下延長部
４・・・底面部
５・・・上げ底部
５Ａ・・・上げ底部
５Ｂ・・・上げ底部
５１・・・天面
５２・・・前支持面
５３・・・後支持面
５１０・・・置き台
６・・・仕切板
Ａ・・・展示箱
Ｂ・・・箸束
Ｂ１・・・複数対箸
Ｂ２・・・台板
Ｎ・・・２重壁部
【図１】
0003136097.tif 000003
【図２】
0003136097.tif 000004
【図３】
0003136097.tif 000005
【図４】
0003136097.tif 000006
【図５】
0003136097.tif 000007
【図６】
0003136097.tif 000008
【図７】
0003136097.tif 000009
【図８】
0003136097.tif 000010
【図９】
0003136097.tif 000011
【図１０】
0003136097.tif 000012